(57)【要約】【課題】発熱部品に吹き付ける冷却風の温度の大小に関わらず、素子の温度上昇値を抑えること。【解決手段】風上雰囲気温度検出素子８と風下雰囲気温度検出素子９と、ファン制御手段１１を備え、風下温度検出素子９の検出温度が所定の温度よりも大きい、または、風下温度検出素子９の検出温度から風上温度検出素子８の検出温度を引いた温度差が所定の温度よりも大きくなればなるほどファン制御手段１１は、冷却ファン７の回転数を大きくするように信号を出力するため、発熱部品６の損失が大きい場合には風量を多くして発熱部品６を冷却する。【選択図】図２
2011077008.tif 000002
【特許請求の範囲】
【請求項１】
被加熱物を載置する天板と、前記天板の下方に位置する加熱コイルと、前記加熱コイルに高周波電流を供給するインバータ回路と、前記インバータ回路を構成する発熱部品を冷却するためのファンと、前記発熱部品の風上側と風下側の雰囲気温度を検出する温度検出素子と、前記ファンの回転数を制御するファン制御手段とを備え、前記ファン制御手段は、前記風下側に設けられた前記温度検出素子の検出温度が高くなると前記ファンの回転数が高くなるように制御するとともに、前記風下側の前記温度検出素子の検出温度から前記風上側の前記温度検出素子の検出温度を引いた温度差が高くなればなるほど前記ファンの回転数を高く制御することを特徴とした誘導加熱調理器。
【請求項２】
ファン制御手段に代え、加熱出力制御手段を備え、前記加熱出力制御手段は、風下側に設けられた温度検出素子の検出温度が高くなると加熱出力を抑制するとともに、前記風下側の前記温度検出素子の検出温度から風上側の前記温度検出素子の検出温度を引いた温度差が高くなればなるほど前記加熱出力を抑制することを特徴とした請求項１に記載の誘導加熱調理器。
【請求項３】
表示部を備え、加熱出力制御手段は、風下側の温度検出素子の検出温度から風上側の前記温度検出素子の検出温度を引いた温度差が所定の値以上に達した場合に加熱を停止し、前記表示部にその旨を表示させることを特徴とした請求項２に記載の誘導加熱調理器。
【請求項４】
ファン制御手段に代え、インバータ回路の最大加熱出力を制限するリミッタを備え、風下側の温度検出素子の検出温度から風上側の前記温度検出素子の検出温度を引いた温度差が高くなればなるほど、制御火力を抑制するように前記リミッタの閾値を変化させることを特徴とした請求項１に記載の誘導加熱調理器。
【請求項５】
ファン制御手段に代え、所定の時間に達すると加熱出力を制御する加熱出力制御タイマーを備え、前記加熱出力制御タイマーは、風下側の温度検出素子の検出温度から風上側の前記温度検出素子の検出温度を引いた温度差が高くなればなるほど前記所定の時間を短くすることを特徴とした請求項１に記載の誘導加熱調理器。
【請求項６】
ファン制御手段と加熱出力制御手段とを備え、前記ファン制御手段は、風下側に設けられた温度検出素子の検出温度が高くなるとファンの回転数が高くなるように制御するとともに、前記風下側の前記温度検出素子の検出温度から前記風上側の前記温度検出素子の検出温度を引いた温度差が高くなればなるほど前記ファンの回転数を高く制御するとともに、前記温度差が所定の値以上に達すると、前記ファンの回転数を現回転数に固定し、前記加熱出力制御手段によって加熱出力を抑制することを特徴とした請求項１に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、インバータ回路の雰囲気温度が所定の値よりも高い場合にファンを駆動させ、そうでない場合はファンを駆動させないようにしている（例えば特許文献１参照）。
【０００３】
図１５は特許文献１に記載された、従来の誘導加熱調理器である誘導加熱炊飯器の概略図である。図１５に示すように、加熱コイル２２と、加熱コイル２２に高周波電流を供給するインバータ回路２３と、加熱コイル２２及びインバータ回路２３を構成するパワー部品を冷却する冷却ファン２５と、冷却ファン２５の制御を行う冷却ファン制御手段２６と、インバータ回路２３の雰囲気温度を検知する雰囲気温度検知手段２７とを有している。
【先行技術文献】
【特許文献】
【０００４】
【特許文献１】特開平７−２８９４２１号公報
【発明の概要】
【発明が解決しようとする課題】
【０００５】
しかしながら、前記従来の構成では、１箇所の雰囲気温度で加熱出力やファン速度を制御するため、吸気温度の差による発熱部品の温度上昇値を考慮することができない。インバータ回路の構成部品であるＩＧＢＴやＭＯＳＦＥＴ等、半導体素子の発熱部品は素子の温度だけでなく、発熱部品自身の自己温度上昇値も信頼性に大きく関わる。このため、発熱部品の温度が同じであっても、自己温度上昇が大きいと、発熱部品の損失が大きいということになり、発熱部品にとっては危険な状態となり、製品の信頼性は低下するという課題を有していた。
【０００６】
本発明は、前記従来の課題を解決するもので、発熱部品に吹き付ける冷却風の温度の大小に関わらず、素子の温度上昇値を抑えることができる誘導加熱調理器を提供することを目的とする。
【課題を解決するための手段】
【０００７】
前記従来の問題を解決するために、本発明の誘導加熱調理器は、被加熱物を載置する天板と、前記天板の下方に位置する誘導加熱コイルと、前記加熱コイルに高周波電流を供給するインバータ回路と、前記インバータ回路を構成する発熱部品を冷却するためのファンと、前記発熱部品の風上側と風下側の雰囲気温度を検出する温度検出素子と、前記ファンの回転数を制御するファン制御手段とを備え、前記ファン制御手段は、風下側に設けられた前記温度検出素子の検出温度が高くなると前記ファンの回転数が高くなるように制御するとともに、前記風下側の温度検出素子の検出温度から前記風上側の温度検出素子の検出温度を引いた温度差が高くなればなるほど前記ファンの回転数を高く制御することを特徴とする。
【０００８】
これにより、半導体素子の損失が大きく、温度上昇値が大きくなると、発熱部品を通過した冷却風の温度が高くなるため、風下側の温度検出素子の検出温度から風上側の温度検出素子の検出温度を引いた温度差が大きくなり、ファン制御手段によって、冷却ファンの回転数を上昇させ、発熱部品に吹き付ける冷却風の温度の大小に関わらず、素子の温度上
昇値を抑えることができ、製品の信頼性をさらに高めることができる。
【発明の効果】
【０００９】
本発明の誘導加熱調理器は、インバータ回路上の発熱部品の温度上昇値を低くすることができ、製品の信頼性を高めることができる。
【図面の簡単な説明】
【００１０】
【図１】本発明の実施の形態１における誘導加熱調理器の斜視概略図
【図２】本発明の実施の形態１における誘導加熱調理器のインバータ回路とファンの概略図
【図３】本発明の実施の形態１における誘導加熱調理器のブロック図
【図４】本発明の実施の形態１における誘導加熱調理器の動作フローチャート
【図５】本発明の実施の形態２における誘導加熱調理器のブロック図
【図６】本発明の実施の形態２における誘導加熱調理器の動作フローチャート
【図７】本発明の実施の形態３における誘導加熱調理器のブロック図
【図８】本発明の実施の形態３における誘導加熱調理器の動作フローチャート
【図９】本発明の実施の形態４における誘導加熱調理器のブロック図
【図１０】本発明の実施の形態４における誘導加熱調理器の動作フローチャート
【図１１】本発明の実施の形態５における誘導加熱調理器のブロック図
【図１２】本発明の実施の形態５における誘導加熱調理器の動作フローチャート
【図１３】本発明の実施の形態６における誘導加熱調理器のブロック図
【図１４】本発明の実施の形態６における誘導加熱調理器の動作フローチャート
【図１５】従来の誘導加熱式炊飯器の全体構成を示すブロック図
【発明を実施するための形態】
【００１１】
第１の発明は、被加熱物を載置する天板と、前記天板の下方に位置する加熱コイルと、前記加熱コイルに高周波電流を供給するインバータ回路と、前記インバータ回路を構成する発熱部品を冷却するためのファンと、前記発熱部品の風上側と風下側の雰囲気温度を検出する温度検出素子と、前記ファンの回転数を制御するファン制御手段とを備え、前記ファン制御手段は、前記風下側に設けられた前記温度検出素子の検出温度が高くなると前記ファンの回転数が高くなるように制御するとともに、前記風下側の前記温度検出素子の検出温度から前記風上側の前記温度検出素子の検出温度を引いた温度差が高くなればなるほどファンの回転数を高く制御することを特徴とし、これにより、発熱部品の損失が大きい場合は冷却風の風上側と風下側の温度差が増大し、ファン制御手段は冷却ファンの回転数を増す制御を行い、発熱部品の温度上昇を抑えることができるために、素子の信頼性を高めることができる。
【００１２】
第２の発明は、特に、第１の発明のファン制御手段を加熱出力制御手段に代え、前記加熱出力制御手段は、風下側に設けられた温度検出素子の検出温度が高くなると加熱出力を抑制するとともに、前記風下側の前記温度検出素子の検出温度から風上側の前記温度検出素子の検出温度を引いた温度差が高くなればなるほど前記加熱出力を抑制することを特徴とし、これにより、発熱部品の損失が大きい場合は冷却風の風上側と風下側の温度差が増大し、加熱出力制御手段は加熱出力を抑制する制御を行い、発熱そのものを抑えることができるため、半導体素子の信頼性を高めることができる。
【００１３】
第３の発明は、第２の発明に表示部を備え、加熱出力制御手段は、風下側の温度検出素子の検出温度から風上側の前記温度検出素子の検出温度を引いた温度差が所定の値以上に達した場合に加熱を停止し、前記表示部にその旨を表示させることを特徴とし、これにより、発熱部品の損失が加熱出力を抑制しても誘導加熱調理器本体の冷却能力以上に大きい場合、加熱出力を抑制しても、冷却風の風上と風下の温度差が所定以上になることで、誘
導加熱調理器の加熱を停止し、発熱部品の熱破壊による機器の故障を防止することができる。
【００１４】
第４の発明は、特に、第１の発明のファン制御手段に代え、インバータ回路の最大加熱出力を制限するリミッタを備え、風下側の温度検出素子の検出温度から風上側の前記温度検出素子の検出温度を引いた温度差が高くなればなるほど、制御火力を抑制するように前記リミッタの閾値を変化させることを特徴とし、これにより、発熱部品の損失が大きい場合には冷却風の風上側と風下側の温度差が増大し、リミッタが加熱出力を抑制し、発熱部品の温度上昇を抑えることができるために、半導体素子の信頼性を高めることができる。
【００１５】
第５の発明は、特に、第１の発明のファン制御手段に代え、所定の時間に達すると加熱出力を制御する加熱出力制御タイマーを備え、前記加熱出力制御タイマーは、風下側の温度検出素子の検出温度から風上側の前記温度検出素子の検出温度を引いた温度差が高くなればなるほど前記所定の時間を短くすることを特徴とし、これにより、発熱部品の損失が大きい場合には冷却風の風上側と風下側の温度差が増大し、加熱出力制御タイマーにより、通常よりも早い時間で加熱出力が抑制され、発熱部品の温度上昇を抑えることができるために、半導体素子の信頼性を高めることができる。
【００１６】
第６の発明は、第１の発明において、ファン制御手段と加熱出力制御手段とを備え、前記ファン制御手段は、風下側に設けられた温度検出素子の検出温度が高くなるとファンの回転数が高くなるように制御するとともに、前記風下側の前記温度検出素子の検出温度から前記風上側の前記温度検出素子の検出温度を引いた温度差が高くなればなるほど前記ファンの回転数を高く制御するとともに、前記温度差が所定の値以上に達すると、前記ファンの回転数を現回転数に固定し、前記加熱出力制御手段によって加熱出力を抑制することを特徴とし、これにより、発熱部品の損失が大きい場合には冷却風の風上側と風下側の温度差が増大し、ファン制御手段によって、ファンの回転数を増大させるため、加熱出力は極力下がらず、使用者にとって使い勝手の良い誘導加熱調理器を提供することができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態における誘導加熱調理器の概略図を示すものである。天板１と、高周波電流を供給されることによって天板１上に載置された被加熱物Ｐを誘導加熱する加熱コイル２と、加熱コイル２に高周波電流を供給するインバータ回路３と、加熱を開始するための動作開始部４と、加熱出力を設定するための加熱出力設定部５を有している。使用者は動作開始部４を押して加熱を開始し、加熱出力設定部５を操作することによって、加熱出力を調節することができ、操作に応じて表示部１４が現在の機器の加熱状態を使用者に知らせる。
【００１９】
図２は本発明の第１の形態における誘導加熱調理器の内部概略図を示すものである。インバータ回路３は出力端子１２を経由して加熱コイル２に高周波電流を供給する。その際にインバータ回路を構成している発熱部品６、例えばスイッチング素子であるＩＧＢＴが実装された放熱フィン、が発熱するために、冷却ファン７によって強制的に冷却を行い、半導体素子（スイッチング素子を含む）が熱破壊を起こさない温度に保っている。また、発熱部品６の風上側と風下側には、風上雰囲気温度検出素子８と風下雰囲気温度検出素子９が配置されており、風上温度検出素子８は冷却ファン７から出た冷却風１０の温度を、風下温度検出素子９は発熱部品６を通過した冷却風１０の温度をぞれぞれ検出することができる。
【００２０】
以上のように構成された誘導加熱調理器について、以下、その動作、作用を説明する。
【００２１】
図３は本発明の第１の実施の形態における誘導加熱調理器の動作を表現するブロック図を示すものである。まず、使用者が動作開始部４を押して加熱を開始すると、商用電源（図示しない）からインバータ回路３に商用電源が供給され、加熱コイル２に高周波電流が供給され、被加熱物Ｐが加熱される。このとき、インバータ回路３を構成している発熱部品６を冷却するために、ファン制御手段１１によって、加熱出力設定部５によって設定された加熱出力に応じた回転数に制御するように、冷却ファン７に制御信号が出力され、発熱部品を冷却する。このとき、ファン制御手段１１は風下温度検出素子９が検出した風下雰囲気温度および、風下雰囲気温度から風上雰囲気温度を引いた温度差を入力信号として受ける。
【００２２】
図４は本発明の第１の実施の形態における誘導加熱調理器を構成しているファン制御手段１１の動作フローチャートを示すものである。まず、ステップ１０１で利用者が動作開始部４を押すことにより加熱が開始され、引き続き、加熱出力設定部５を操作して加熱出力を設定する。ステップ１０２でファン制御手段１１は加熱出力に応じた回転数で冷却ファン７を駆動させる。ステップ１０３で、ファン制御手段１１は、風下温度検出素子９で検出された風下雰囲気温度が所定の温度よりも大きい、または、風下雰囲気温度から風上温度検出素子８で検出された風上雰囲気温度を引いた温度差が所定の温度よりも大きい場合には、ステップ１０４で、閾値に応じて予め定められたファンの回転数で駆動するように冷却ファン７の回転数を変更する。風上温度検出素子８で検出された風上雰囲気温度が同じであっても、発熱部品６の損失が大きくなればなるほど、発熱部品６を通過した冷却風１０の温度は高くなり、風下温度検出素子９で検出された風下雰囲気温度は大きくなるため、風下雰囲気温度から風上雰囲気温度を引いた温度差も大きくなる。
【００２３】
以上のように、本発明の第１の実施の形態においては、ファン制御手段１１は、風下温度検出素子９の検出温度が高くなると冷却ファン７の回転数が高くなるように制御するとともに、風下温度検出素子９の検出温度から風上温度検出素子８の検出温度を引いた温度差が高くなればなるほどファンの回転数を高く制御するために、発熱部品６の損失が大きい場合でも、冷却風１０を通常より多く流すことにより発熱部品６の温度上昇を抑えることができ、製品の信頼性を高めることができる。
【００２４】
（実施の形態２）
図５は本発明の第２の実施の形態における誘導加熱調理器の動作を表現するブロック図を示すものである。本発明の第１の実施の形態におけるファン制御手段１１を加熱出力制御手段１３に代え、加熱出力制御手段１３は、風下温度検出素子９が検出した風下雰囲気温度および、風下雰囲気温度から風上温度検出素子８が検出した風上雰囲気温度を引いた温度差を入力信号として受信する。
【００２５】
図６は本発明の第２の実施の形態における誘導加熱調理器を構成している加熱出力制御手段１３の動作フローチャートを示すものである。まず、ステップ１０１で利用者が動作開始部４を押すことにより加熱が開始され、引き続き、加熱出力設定部５を操作して加熱出力を設定する。ステップ２０３で、加熱出力制御手段１３は、風下温度検出素子９で検出された風下雰囲気温度が所定の温度よりも大きい、または、風下雰囲気温度から風上雰囲気温度を引いた温度差が所定の温度よりも大きい場合には、ステップ２０４で、閾値に応じて予め定められた加熱出力に変更する。風上温度検出素子８で検出された風上雰囲気温度が同じであっても、発熱部品６の損失が大きくなればなるほど、発熱部品６を通過した冷却風１０の温度は高くなり、風下温度検出素子９で検出された風下雰囲気温度は大きくなるため、風下雰囲気温度から風上雰囲気温度を引いた温度差も大きくなる。
【００２６】
以上のように、本発明の第２の形態においては、加熱出力制御手段１３は、風下温度検出素子９の検出温度が高くなると加熱出力を抑制するとともに、風下温度検出素子９の検出温度から風上温度検出素子８の検出温度を引いた温度差が高くなればなるほど加熱出力を抑制するために、発熱部品６の損失が大きい場合においても、加熱出力を抑制することで、発熱部品６の損失を減らし、温度上昇を抑えることができ、製品の信頼性を高めることができる。
【００２７】
（実施の形態３）
図７は本発明の第３の実施の形態における誘導加熱調理器の動作を表現するブロック図を示すものである。本発明の第２の実施の形態において、加熱出力制御手段１３からＬＣＤあるいはＬＥＤの表示素子やスピーカーあるいはブザーの発音素子を有する表示部１４へ信号経路が追加されている。
【００２８】
図８は本発明の第３の実施の形態における誘導加熱調理器を構成している加熱出力制御手段１３の動作フローチャートを示すものである。まず、ステップ１０１で利用者が動作開始部４を押すことにより加熱が開始され、引き続き、加熱出力設定部５を操作して加熱出力を設定する。ステップ２０３で、加熱出力制御手段１３は、風下温度検出素子９で検出された風下雰囲気温度が所定の温度よりも大きい、または、風下雰囲気温度から風上温度検出素子８で検出された風上雰囲気温度を引いた温度差が所定の温度よりも大きい場合には、ステップ２０４で閾値に応じて予め定められた加熱出力に変更する。ステップ３０５で、温度差が加熱停止閾値より大きい場合はステップ３０６で加熱出力制御手段１３はインバータ回路３へ加熱停止の信号を送信するとともに、加熱を停止した旨を使用者に知らせるように表示部１４へ信号を送信し、表示部１４は誘導加熱調理器が加熱を停止した旨を使用者に知らせる。
【００２９】
以上のように、本発明の第３の実施の形態においては、加熱出力制御手段１３は風下雰囲気温度と風下雰囲気温度の差が所定の値よりも大きくなると、加熱を停止させる信号をインバータ回路３へ送信するとともに、加熱を停止した旨を使用者に報知するための信号を表示部１４へ送信し、表示部１４は使用者に加熱を停止した旨を表示や音で知らせる。表示を認識した使用者は、加熱を停止したことを表示や音で認識できるため、使用者は安心して誘導加熱調理器を使用することができる。
【００３０】
（実施の形態４）
図９は本発明の第４の実施の形態における誘導加熱調理器の動作を表現するブロック図を示すものである。本発明の第１の実施の形態におけるファン制御手段１１をリミッタ１５に代え、リミッタ１５は、風下温度検出素子９が検出した風下雰囲気温度および、風下雰囲気温度から風上温度検出素子８が検出した風上雰囲気温度を引いた温度差を入力信号として受信する。
【００３１】
図１０は本発明の第４の実施の形態における誘導加熱調理器を構成しているリミッタ１５の動作フローチャートを示すものである。まず、ステップ１０１で利用者が動作開始部４を押すことにより加熱が開始され、引き続き、加熱出力設定部５を操作して加熱出力を設定する。ステップ４０３で、リミッタ１５は、風下温度検出素子９で検出された風下雰囲気温度が所定の温度よりも大きい、または、風下雰囲気温度から風上温度検出素子８で検出された風上雰囲気温度を引いた温度差が所定の温度よりも大きい場合には、ステップ４０４で、閾値に応じて予め定められた最大出力以下に加熱出力を抑制する。風上温度検出素子８で検出された風上雰囲気温度が同じであっても、発熱部品６の損失が大きくなればなるほど、発熱部品６を通過した冷却風１０の温度は高くなり、風下温度検出素子９で検出された風下雰囲気温度は大きくなるため、風下雰囲気温度から風上雰囲気温度を引いた温度差も大きくなる。
【００３２】
以上のように、本発明の第４の形態においては、リミッタ１５は、風下温度検出素子９の検出温度が高くなると最大出力を抑制するとともに、風下温度検出素子９の検出温度から風上温度検出素子８の検出温度を引いた温度差が高くなればなるほど最大出力を抑制するために、発熱部品６の損失が大きい場合においても、最大出力を制限することで、発熱部品６の損失を設計値以下に減らし、温度上昇を抑えることができ、製品の信頼性を高めることができる。
【００３３】
（実施の形態５）
図１１は本発明の第５の実施の形態における誘導加熱調理器の動作を表現するブロック図を示すものである。本発明の第１の実施の形態におけるファン制御手段１１を加熱出力制御タイマー１６に代え、加熱出力制御タイマー１６は、風下温度検出素子９が検出した風下雰囲気温度および、風下雰囲気温度から風上温度検出素子８が検出した風上雰囲気温度を引いた温度差を入力信号として受け取る。
【００３４】
図１２は本発明の第５の実施の形態における誘導加熱調理器を構成している加熱出力制御タイマー１６の動作フローチャートを示すものである。まず、ステップ１０１で利用者が動作開始部４を押すことにより加熱が開始され、引き続き、加熱出力設定部５を操作して加熱出力を設定する。ステップ５０２で加熱出力制御タイマー１６は加熱開始からの時間計測を開始する。ステップ５０３で加熱出力制御タイマー１６は風下雰囲気温度から風上雰囲気温度を引いた温度差が所定の温度よりも大きい場合には、加熱出力を低下させる時間を、閾値に応じて予め定められた所定時間に変更する。ステップ５０５で計測された時間が所定時間よりも大きければ５０６で所定時間に応じて予め定められた加熱出力に変更する信号をにインバータ回路３へ送信する。
【００３５】
以上のように、本発明の第５の形態においては、加熱出力制御タイマー１６は、風下温度検出素子９の検出温度から風上温度検出素子８の検出温度を引いた温度差が高くなればなるほど加熱出力を低下させるタイミングを早めるために、発熱部品６の損失が大きい場合においても、発熱部品６が高温になる前に加熱出力を低下させ、発熱を抑えることができるために発熱部品６の温度上昇を抑えることができ、製品の信頼性を高めることができる。
【００３６】
（実施の形態６）
図１３は本発明の第６の実施の形態における誘導加熱調理器の動作を表現するブロック図を示すものである。第１の発明に加熱出力制御手段１３をさらに設け、風下温度検出素子９の検出温度から風上温度検出素子８の検出温度を引いた温度差を入力信号とし、インバータ回路３へ信号を出力する経路を設けている。
【００３７】
図１４は本発明の第６の実施の形態における誘導加熱調理器を構成しているファン制御手段１１と加熱出力制御手段１３の動作フローチャートを示すものである。まず、ステップ１０１で利用者が動作開始部４を押すことにより加熱が開始され、引き続き、加熱出力設定部５を操作して加熱出力を設定する。ステップ６０２でファン制御手段１１は加熱出力に応じた回転数で冷却ファン７を駆動させる。ステップ６０３で、ファン制御手段は、風下温度検出素子９で検出された風下雰囲気温度が所定の温度よりも大きい、または、風下雰囲気温度から風上雰囲気温度を引いた温度差が所定の温度よりも大きい場合には、ステップ６０４で、閾値に応じて予め定められたファンの回転数で駆動するように冷却ファン７の回転数を変更する。ステップ６０５で風下雰囲気温度から風上雰囲気温度を引いた温度差が所定の温度よりも大きい場合は、ステップ６０６で加熱出力制御手段１３は閾値に応じて予め定められた加熱出力に変更する命令をインバータ回路３に送信する。
【産業上の利用可能性】
【００３８】
以上のように本発明にかかる誘導加熱調理器は、インバータ回路上の発熱部品の温度上昇値を低くすることができるので、インバータを有する加熱調理器等の用途にも適用できる。
【符号の説明】
【００３９】
Ｐ  被加熱物
１  天板
２  加熱コイル
３  インバータ回路
４  動作開始部
５  加熱出力設定部
６  発熱部品
７  冷却ファン
８  風上温度検出素子
９  風下温度検出素子
１０  冷却風
１１  ファン制御手段
１２  出力端子
１３  加熱出力制御手段
１４  表示部
１５  リミッタ
１６  加熱出力制御タイマー
２１  炊飯鍋
２２  加熱コイル
２３  インバータ回路
２４  制御回路
２５  冷却ファン
２６  冷却ファン制御手段
２７  雰囲気温度検知手段
【図１】
2011077008.tif 000003
【図２】
2011077008.tif 000004
【図３】
2011077008.tif 000005
【図４】
2011077008.tif 000006
【図５】
2011077008.tif 000007
【図６】
2011077008.tif 000008
【図７】
2011077008.tif 000009
【図８】
2011077008.tif 000010
【図９】
2011077008.tif 000011
【図１０】
2011077008.tif 000012
【図１１】
2011077008.tif 000013
【図１２】
2011077008.tif 000014
【図１３】
2011077008.tif 000015
【図１４】
2011077008.tif 000016
【図１５】
2011077008.tif 000017